(57)【特許請求の範囲】
【請求項１】
マルチバンド送信のためのマルチＭＣＳ  ＯＦＤＭ送信機を有する無線通信装置であって、前記マルチＭＣＳ  ＯＦＤＭ送信機は：
２以上の無線チャネルで送信するデータを、単一の符号化方式を用いて符号化し、符号化されたデータストリームを生成し；
前記２以上の無線チャネルの各々に対して選択された変調レベルに基づいて、前記符号化されたデータストリームのビットを、前記無線チャネルの各々のビットストリームへと分割し；
前記分割されたビットストリームを、選択された前記変調レベルに基づいて、コンステレーションシンボルにマップし；
前記コンステレーションシンボルにＩＤＦＴを実行し、時間領域のマルチキャリア波を生成し；
前記２以上の無線チャネルの各々において、該無線チャネルの最大許容送信電力レベルを超えないように選択された各々の電力レベルで、前記時間領域のマルチキャリア波を、単一のアンテナにより同時に送信する；
ように構成され、
各無線チャネルの前記変調レベルは、該無線チャネルの前記最大許容送信電力レベルの少なくとも一部に基づいて選択され、
第一の前記無線チャネルが、低最大許容送信電力レベルを有し、第二の前記無線チャネルが、高最大許容送信電力レベルを有し、
前記高最大許容送信電力レベルと前記低最大許容送信電力レベルとの差に基づいて、前記無線チャネルに対する変調レベルの組が選択され、
所定の品質レベルをサポートするための前記変調レベルの組の間の電力レベルの差が、前記高最大許容送信電力レベルと前記低最大許容送信電力レベルとの差を超えない、
無線通信装置。
【請求項２】
前記マルチＭＣＳ  ＯＦＤＭ送信機は、複数のアンテナのうちの各アンテナと関連付けられるエンコーダを有し、
前記エンコーダは、前記アンテナの各々により送信されるデータが、異なる符号化方式で符号化されることを可能にするよう構成され、
前記マルチＭＣＳ  ＯＦＤＭ送信機は、２以上の無線チャネルの各々における時間領域のマルチキャリア波を、前記アンテナのうちの単一のアンテナを用いて、同時に送信するよう構成される、
請求項１に記載の無線通信装置。
【請求項３】
高変調レベルが、高許容送信電力レベルを有する無線チャネルに対して選択され、低変調レベルが、低許容送信電力レベルを有する無線チャネルに対して選択される、
請求項２に記載の無線通信装置。
【請求項４】
利用可能な無線チャネルと、前記利用可能な無線チャネルの各々の前記最大許容送信電力レベルとを示すアクセスポイントからの信号を受信するようさらに構成される、
請求項２に記載の無線通信装置。
【請求項５】
前記マルチＭＣＳ  ＯＦＤＭ送信機は、
単一の送信アンテナに関連付けられる、少なくとも一つのＲＦチェーンと；
前記ＲＦチェーンの少なくとも一つと関連付けられる可変利得素子と；
を有し、
前記可変利得素子は、所定の性能レベルをサポートし、かつ、前記無線チャネルの前記最大許容送信電力レベルを超えないように選択された電力レベルを有する、無線チャネルの前記時間領域のマルチキャリア波を設定する、
請求項２に記載の無線通信装置。
【請求項６】
前記マルチＭＣＳ  ＯＦＤＭ送信機は、クロック信号をダウンクロックすることにより、略１ＭＨｚ又は２ＭＨｚの送信帯域を有する各無線チャネルを設定し、
各無線チャネルで送信される前記時間領域のマルチキャリア波は、複数のサブキャリアを有するＯＦＤＭ信号であり、
選択された前記無線チャネルは、略７００ＭＨｚと１０００ＭＨｚとの間のスペクトルを占有する、
請求項５に記載の無線通信装置。
【請求項７】
前記２以上の無線チャネルは、前記スペクトル内で隣接する無線チャネルである、
請求項６に記載の無線通信装置。
【請求項８】
前記２以上の無線チャネルは、前記スペクトル内で隣接しない無線チャネルである、
請求項６に記載の無線通信装置。
【請求項９】
前記マルチＭＣＳ  ＯＦＤＭ送信機は、さらに：
所定の性能レベルを満たすように、高電力レベル及び高変調レベルのチャネルと関連付けられる前記時間領域のマルチキャリア波の送信電力レベルを低減し；
単一のアンテナでの同時送信のために、各無線チャネルの前記時間領域のマルチキャリア波を結合する；
よう構成される、請求項２に記載の無線通信装置。
【請求項１０】
複数の変調レベルによる伝送のための方法であって：
２以上の無線チャネルで送信するデータを、単一の符号化方式を用いて符号化し、符号化されたデータストリームを生成する段階と；
前記２以上の無線チャネルの各々に対して選択された変調レベルに基づいて、前記符号化されたデータストリームのビットを、前記無線チャネルの各々のビットストリームへと分割する段階と；
前記分割されたビットストリームを、選択された前記変調レベルに基づいて、コンステレーションシンボルにマップし；
前記コンステレーションシンボルにＩＤＦＴを実行し、時間領域のマルチキャリア波を生成し；
前記２以上の無線チャネルの各々において、該無線チャネルの最大許容送信電力レベルを超えないように選択された各々の電力レベルで、前記時間領域のマルチキャリア波を、単一のアンテナにより同時に送信する段階と；
を有し、
各無線チャネルの変調レベルは、該無線チャネルの前記最大許容送信電力レベルの少なくとも一部に基づいて選択され、
第一の前記無線チャネルが、低最大許容送信電力レベルを有し、第二の前記無線チャネルが、高最大許容送信電力レベルを有し、
当該方法は、前記高最大許容送信電力レベルと前記低最大許容送信電力レベルとの差に基づいて、前記無線チャネルの変調レベルの組を選択する段階を含み、
所定の品質レベルをサポートするための前記変調レベルの組の間の電力レベルの差が、前記高最大許容送信電力レベルと前記低最大許容送信電力レベルとの差を超えない、
方法。
【請求項１１】
前記符号化は、アンテナの各々による送信のために、データが、異なる符号化方式で符号化されることを可能にし、
前記方法は、２以上の無線チャネルの各々における時間領域のマルチキャリア波を、前記アンテナのうちの単一のアンテナを用いて、同時に送信する段階をさらに有する、
請求項１０に記載の方法。
【請求項１２】
高変調レベルが、高許容送信電力レベルを有する無線チャネルに対して選択され、低変調レベルが、低許容送信電力レベルを有する無線チャネルに対して選択される、
請求項１０に記載の方法。
【請求項１３】
略１ＭＨｚ又は２ＭＨｚの送信帯域を有する各無線チャネルを設定するために、クロック信号をダウンクロックする段階をさらに有し、
各無線チャネルで送信される前記時間領域のマルチキャリア波は、複数のサブキャリアを有するＯＦＤＭ信号であり、
選択された前記無線チャネルは、略７００ＭＨｚと１０００ＭＨｚとの間のスペクトルを占有する、
請求項１２に記載の方法。
【請求項１４】
無線通信装置であって：
セルラ通信技術に従って、セルラネットワークの基地局と通信するセルラ送受信機と；
７００ＭＨｚと１０００ＭＨｚとの間の周波数における無線ネットワーク通信技術に従って、無線ネットワークのアクセスポイントと通信する無線ネットワーク送受信機と；
を有し、
前記無線通信装置の上位層は、データ通信を、前記セルラネットワークから、利用可能な無線ネットワークへと、オフロードするよう構成され、
前記無線ネットワーク送受信機は、マルチＭＣＳ  ＯＦＤＭ送信機であり、該マルチＭＣＳ  ＯＦＤＭ送信機は：
２以上の無線チャネルで送信するデータを、単一の符号化方式を用いて符号化し、符号化されたデータストリームを生成し；
前記２以上の無線チャネルの各々に対して選択された変調レベルに基づいて、前記符号化されたデータストリームのビットを、前記無線チャネルの各々のビットストリームへと分割し；
前記分割されたビットストリームを、選択された前記変調レベルに基づいて、コンステレーションシンボルにマップし；
前記コンステレーションシンボルにＩＤＦＴを実行し、時間領域のマルチキャリア波を生成し；
前記２以上の無線チャネルの各々において、該無線チャネルの最大許容送信電力レベルを超えないように選択された各々の電力レベルで、前記時間領域のマルチキャリア波を、単一のアンテナにより同時に送信する；
ように構成され、
各無線チャネルの変調レベルは、該無線チャネルの前記最大許容送信電力レベルの少なくとも一部に基づいて選択され、
第一の前記無線チャネルが、低最大許容送信電力レベルを有し、第二の前記無線チャネルが、高最大許容送信電力レベルを有し、
前記高最大許容送信電力レベルと前記低最大許容送信電力レベルとの差に基づいて、前記無線チャネルに対する変調レベルの組が選択され、
所定の品質レベルをサポートするための前記変調レベルの組の間の電力レベルの差が、前記高最大許容送信電力レベルと前記低最大許容送信電力レベルとの差を超えない、
無線通信装置。
【請求項１５】
前記無線通信装置は、タッチスクリーンを有するスマートフォンを含む、
請求項１４に記載の無線通信装置。
【発明の詳細な説明】
【技術分野】
【０００１】
本出願における実施形態は、無線通信に関する。いくつかの実施形態は、異なる電力レベルでのマルチＭＣＳ  ＯＦＤＭ（orthogonal  frequency  division  multiplexed）伝送に関連する。いくつかの実施形態は、認可されていない８００ＭＨｚ−１０００ＭＨｚ帯を含む、１ＧＨｚ以下の周波数帯における、ＯＦＤＭ伝送に関連する。
【背景技術】
【０００２】
１ＧＨｚ以下の帯域でデータを通信することの一つの問題は、いくつかの管轄において、利用可能な複数のチャネルが、同一でない最大許容送信電力要件を有することである。これにより、かかるチャネルを効率的に利用することが困難となる。いくつかのセルラネットワークは、それらのデータ通信の一部を、ＷｉＦｉネットワークのような、他のネットワークへとオフロードしたい。１ＧＨｚ以下の帯域は、かかるオフロード処理を扱うために、有効な容量とスペクトルを有し得る。
【発明の概要】
【発明が解決しようとする課題】
【０００３】
従って、同一でない最大許容送信電力要件を有する複数のチャネルを効率的に利用できる、無線通信装置及び方法への一般的な要求がある。また、１ＧＨｚ以下の帯域において、同一でない最大許容送信電力要件を有する複数のチャネルを効率的に利用できる、無線通信装置及び方法への一般的な要求がある。さらに、１ＧＨｚ以下の帯域において、同一でない最大送信電力要件を有する複数のチャネルを有する無線ネットワークを含むセルラネットワークから無線ネットワークへの、データ通信のオフロードのための、無線通信装置及び方法への一般的な要求がある。
【課題を解決するための手段】
【０００４】
上述した課題を解決し目的を達成するため、本発明の一実施形態における無線通信装置は、
マルチバンド送信のためのマルチＭＣＳ  ＯＦＤＭ送信機を有する無線通信装置であって、前記マルチＭＣＳ  ＯＦＤＭ送信機は：
２以上の無線チャネルで送信するデータを、１の符号化方式を用いて符号化し、符号化されたデータストリームを生成し；
前記２以上の無線チャネルの各々に対して選択された変調レベルに基づいて、前記符号化されたデータストリームのビットを、前記無線チャネルの各々のビットストリームへと分割し；
前記２以上の無線チャネルの各々において、該無線チャネルの最大許容送信電力レベルを超えないように選択された電力レベルで、独立した時間領域のマルチキャリア波を同時に送信する；
ように構成され、
各無線チャネルの前記変調レベルは、該無線チャネルの前記最大許容送信電力レベルの少なくとも一部に基づいて選択される。
【０００５】
また、本発明の一実施形態における方法は、
複数の変調レベルによる伝送のための方法であって：
２以上の無線チャネルで送信するデータを、１の符号化方式を用いて符号化し、符号化されたデータストリームを生成する段階と；
前記２以上の無線チャネルの各々に対して選択された変調レベルに基づいて、前記符号化されたデータストリームのビットを、前記無線チャネルの各々のビットストリームへと分割する段階と；
前記２以上の無線チャネルの各々において、該無線チャネルの最大許容送信電力レベルを超えないように選択された電力レベルで、独立した時間領域のマルチキャリア波を同時に送信する段階と；
を有し、
各無線チャネルの変調レベルは、該無線チャネルの前記最大許容送信電力レベルの少なくとも一部に基づいて選択される。
【０００６】
また、本発明の一実施形態における無線通信装置は、
無線通信装置であって：
セルラ通信技術に従って、セルラネットワークの基地局と通信するセルラ送受信機と；
７００ＭＨｚと１０００ＭＨｚとの間の周波数における無線ネットワーク通信技術に従って、無線ネットワークのアクセスポイントと通信する無線ネットワーク送受信機と；
を有し、
前記無線通信装置の上位層は、データ通信を、前記セルラネットワークから、利用可能な無線ネットワークへと、オフロードするよう構成され、
前記無線ネットワーク送受信機は、マルチＭＣＳ  ＯＦＤＭ送信機であり、該マルチＭＣＳ  ＯＦＤＭ送信機は：
２以上の無線チャネルで送信するデータを、１の符号化方式を用いて符号化し、符号化されたデータストリームを生成し；
前記２以上の無線チャネルの各々において、該無線チャネルの最大許容送信電力レベルを超えないように選択された電力レベルで、独立した時間領域のマルチキャリア波を同時に送信する；
ように構成され、
各無線チャネルの変調レベルは、該無線チャネルの前記最大許容送信電力レベルの少なくとも一部に基づいて選択される。
【発明の効果】
【０００７】
本発明によれば、同一でない最大許容送信電力要件を有する複数のチャネルを効率的に利用できる、無線通信装置及び方法が提供される。
【図面の簡単な説明】
【０００８】
【図１】いくつかの実施形態における無線ネットワークを示す図。
【図２】いくつかの実施形態におけるチャネル帯の例を示す図。
【図３】いくつかの実施形態におけるＯＦＤＭ送信機の機能ブロック図。
【図４】いくつかの実施形態における変調レベルの組の例を示す図。
【図５Ａ】いくつかの実施形態における様々な管轄のチャネル帯を示す図。
【図５Ｂ】いくつかの実施形態における様々な管轄のチャネル帯を示す図。
【図５Ｃ】いくつかの実施形態における様々な管轄のチャネル帯を示す図。
【図６】いくつかの実施形態における様々なＭＣＳのパケット誤り率を示す図。
【発明を実施するための形態】
【０００９】
本出願は、２０１１年８月５日に出願された、米国特許出願第６１／５１５６８０に対する優先権を主張し、その米国特許出願の全内容は、参照されることにより、本願明細書に組み込まれる。
【００１０】
本出願は、「低電力かつ低データレート処理のための無線装置及び方法（WIRELESS  DEVICE  AND  METHOD  FOR  LOW  POWER  AND  LOW  DATA  RATE  OPERATION）」（代理人番号８８４．Ｊ６７ＷＯ１（Ｐ３９４４４ＰＣＴ））と題されるＰＣＴ出願に関連する。
【００１１】
以下の詳細な説明及び図面は、当業者が実施可能なように、いくつかの特定の実施形態を十分に説明するものである。他の実施形態は、構造的、論理的、電気的、処理的、及び、他の変更を組み込むことができる。いくつかの実施形態の一部及び特徴部分は、他の実施形態の一部及び特徴部分に含まれても良いし、他の実施形態の一部及び特徴部分によって置き換えられても良い。クレームにおいて説明される実施形態は、かかるクレームの、全ての有効な均等物を包含する。
【００１２】
図１は、いくつかの実施形態における無線ネットワークを示す図である。無線ネットワーク１００は、無線通信装置（WCD;  Wireless  Communication  Device）１０２のような１以上の無線装置と、アクセスポイント（AP）１０４又は基地局を含み得る。ＡＰ１０４は、インターネットのようなネットワークに接続され、無線通信装置１０２と他のエンティティとの間の通信を容易にする。
【００１３】
いくつかの実施形態において、無線通信装置１０２は、マルチバンド伝送のための、マルチＭＣＳ  ＯＦＤＭ送信機（multi-MCS  OFDM  transmitter）を含む。これらの実施形態において、輻輳したネットワークでより多くのチャネル選択を可能にし、より高いスループットを提供可能にする、より高い変調レベルが、より大きな伝送電力レベルが許される無線チャネルにおいて用いられる。さらに、これらの実施形態は、最大許容送信電力に応じて異なる変調レベルを用いることにより、利用可能なチャネルの、より良い利用を提供する。無線チャネルは、８００ＭＨｚと１０００ＭＨｚの間のスペクトルを占有してもよいが、これは必須ではない。各無線チャネルは、略１ＭＨｚ、いくつかの場合において２ＭＨｚの送信帯域を有することができるが、これは必須ではない。
【００１４】
いくつかの実施形態において、無線通信装置１０２の、マルチＭＣＳ  ＯＦＤＭ送信機は、マルチバンド伝送用に設定され得る。いくつかの実施形態において、マルチＭＣＳ  ＯＦＤＭ送信機は、２以上の無線チャネルで送信するデータを、単一の符号化方式により符号化し、符号化されたデータストリームを生成する。マルチＭＣＳ  ＯＦＤＭ送信機は、２以上の無線チャネルの各々に対して選択された変調レベルに基づいて、符号化されたデータストリームのビットを、各無線チャネルのビットストリームへと分割することができる。マルチＭＣＳ  ＯＦＤＭ送信機は、さらに、２以上の選択された無線チャネルの各々において、その無線チャネルの最大許容送信電力レベルを超えないように選択された電力レベルで、独立した時間領域のマルチキャリア波を、同時に送信することができる。各無線チャネルの変調レベルは、少なくとも、その無線チャネルに対する最大許容送信電力レベルの一部に基づいて、選択され得る。いくつかの実施形態において、マルチＭＣＳ  ＯＦＤＭ送信機は、ＩＥＥＥ  ８０２．１１ａｈ通信規格に従い、マルチＭＣＳモード伝送をサポートするよう構成され得る。
【００１５】
いくつかの実施形態において、無線通信装置１０２のマルチＭＣＳ  ＯＦＤＭ送信機は、サンプルクロック比クロック信号（sample  clock  rate  clock  signal）をダウンクロックすることにより、各ＲＦチャネルを、１ＭＨｚ又は２ＭＨｚの送信帯域に設定することができる。これらの実施形態は、最小限の変更で、ＩＥＥＥ  ８０２．１１ａｃ通信のために設定された、従来のＯＦＤＭ送信機の使用を可能にし得る。これらの実施形態について、後により詳細に述べる。
【００１６】
いくつかの実施形態において、無線通信装置１０２は、セルラ通信技術に従って、セルラネットワークの基地局と通信するセルラ送受信機と、７００ＭＨｚと１０００ＭＨｚとの間の周波数における無線ネットワーク通信技術に従って、無線ネットワークのアクセスポイント（例えば、アクセスポイント１０４）と通信する無線ネットワーク送受信機とを有し得る。無線通信装置の上位層（upper-level  layers）は、データ通信を、セルラネットワークから、利用可能な無線ネットワークへと、オフロードするよう構成され得る。これらの実施形態において、オフロードされたデータは、本明細書で述べられるように、２以上の無線チャネルでのマルチＭＣＳ伝送のために設定され得る。これらの実施形態のいくつかにおいて、無線通信装置１０２は、スマートフォン又はデータを通信するその他の装置であってもよいが、これは必須ではない。
【００１７】
いくつかの実施形態において、無線通信装置１０２は、例えば、ＰＤＡ（personal  digital  assistant）、無線通信が可能なラップトップ又は携帯型コンピュータ、Ｗｅｂタブレット、無線電話、無線ヘッドセット、ポケットベル、インスタントメッセージング装置、デジタルカメラ、アクセスポイント、テレビ、医療機器（例えば、心拍計、血圧計等）、又は、情報を無線で送信若しくは受信可能なその他の装置のような、任意の携帯無線通信装置の一部であってもよい。いくつかの実施形態において、無線通信装置１０２は、１以上の、キーボード、ディスプレイ、不揮発性メモリ端子、複数のアンテナ、グラフィックプロセッサ、アプリケーションプロセッサ、スピーカ、及び、他の携帯装置部品を含んでも良い。ディスプレイは、タッチスクリーンを含む、ＬＣＤスクリーンであってもよい。
【００１８】
いくつかの実施形態において、マルチＭＣＳ  ＯＦＤＭ送信機は、単一のアンテナを利用することができ、２つのＲＦチェーン（RF  chain）を用いて構成され得る。これらの実施形態は、以下で詳細に説明される。
【００１９】
図２は、いくつかの実施形態におけるチャネル帯の例を示す図である。チャネル帯２００は、伝送周波数帯２１０を占有する、６つの無線チャネル２０２を表す。チャネル２０６のような、いくつかの無線チャネル２０２は、より高い、最大許容送信電力レベル２０７を有し得る。また、チャネル２０４のような、いくつかのチャネル２０２は、より低い、最大許容送信電力レベル２０５を有し得る。チャネル２０２の数、チャネルの帯域幅、最大許容送信電力レベル２０５、２０７、及び、具体的な伝送周波数帯２１０は、特定の管轄に基づく。いくつかの無線チャネル２０２の間の、不均衡な最大電力の制約により、１以上の無線チャネルでの伝送に対して（すなわち、マルチバンド処理）、かかる種別の伝送周波数帯２１０を、効率的に使用することが困難になる。チャネル２０４、２０６は、電力レベル差２０９を有する。
【００２０】
かかる種別の伝送周波数帯におけるマルチバンド処理に対する一つのアプローチは、マルチバンド伝送中には、伝送周波数帯２１０の全てのチャネルに対して、より低い最大許容伝送電力レベル２０５を用いることである。かかるアプローチの欠点は、スループットの実質的な低下を生ずることである。なぜなら、より高い許容電力レベルを有するチャネルは、より低いデータレートを生ずる非常に低い送信電力レベルで、動作するためである。これにより、その装置のスループットを低減するだけでなく、より高い許容電力レベルを有するチャネルで動作する、他の装置のスループットを低減する可能性がある。これらの他の装置は、無線媒体にアクセスするために、より短い時間を有する可能性があるためである。
【００２１】
別のアプローチは、最大許容送信電力レベルの不均衡のあるチャネルの使用を避けることである。しかしながら、かかるアプローチは、無線装置が利用可能なチャネル選択を制限し、マルチチャネル伝送を受け入れるチャネルを発見できる可能性を低下させる。さらに、いくつかの管轄において、同一の最大許容送信電力レベルを有するチャネルが４より少ない。また、いくつかの管轄において、同一の最大許容送信電力レベルを有するチャネルが、２つしかない場合もある。かかるアプローチは、システムスループットと顕著な低下を招く可能性がある。
【００２２】
いくつかの実施形態において、無線通信装置１０２（図１）は、各チャネル２０２に対して、変調レベルと電力レベルを、独立に選択することができる。これは、周波数ダイバーシティゲインを得るこめに、１のＭＣＳを用い、（マルチチャネル伝送において）チャネル全体にデータを広げる、従来のアプローチとは異なっている。かかる従来のアプローチにおいて、異なるチャネルで利用可能な電力量の不均衡が存在するため、１のＭＣＳの使用により、十分に活用されないシステムがもたらされる。これは、より低いＭＣＳ（より低いデータレート）が、より高い変調レベルをサポートし得るチャネルで用いられなければならない可能性があるためである。
【００２３】
いくつかの実施形態において、無線通信装置１０２のマルチＭＣＳ  ＯＦＤＭ送信機は、異なる電力要件を有する無線チャネル２０２のために、２つの異なる変調レベルを選択することができる。これにより、システムのスループットを最適化することを支援することができる。いくつかの実施形態において、スケーリングブロック（scaling  block）が、より高い電力チャネルのために用いられ、使用されるべき、可能なＭＣＳの組み合わせを最大化することを支援し、必要に応じて電力消費を低減する。これらの実施形態は、以下でより詳細に述べられる。
【００２４】
いくつかの実施形態において、マルチＭＣＳ  ＯＦＤＭ送信機は、２以上の無線チャネル２０２で送信するデータを、単一の符号化方式により符号化し、符号化されたデータストリームを生成し、さらに、２以上の無線チャネル２０２の各々に対して選択された変調レベルに基づいて、符号化されたデータストリームの複数のビットを、各無線チャネル２０２の単一のビットストリームへと分割することができる。符号化方式は、前方誤り訂正（FEC;  Forward  Error-Correcting）符号化方式であってもよい。送信機は、さらに、２以上の無線チャネルの各々において、その無線チャネルの最大許容送信電力レベルを超えないように選択された電力レベルで、独立した時間領域のマルチキャリア波を、同時に送信することができる。各無線チャネル２０２の変調レベルは、少なくとも、その無線チャネル２０２に対する最大許容送信電力レベル２０５、２０７の一部に基づいて、選択され得る。
【００２５】
いくつかの実施形態において、輻輳したネットワークでより多くのチャネル選択を可能にし、より高いスループットを提供可能にする、より高い変調レベルが、より大きな伝送電力レベルが許される無線チャネル２０２において用いられ得る。これらの実施形態は、最大許容送信電力に応じて異なる変調レベルを用いることにより、利用可能なチャネルの、より良い利用を提供する。
【００２６】
いくつかの実施形態において、独立した時間領域のマルチキャリア波は、２以上の無線チャネル２０２の各々において、その無線チャネルの最大許容送信電力レベルを超えないように選択された電力レベルで、単一のアンテナにより、同時に送信される。いくつかの実施形態において、選択された無線チャネル２０２は、スペクトル内で隣接する（すなわち、チャネル２０４Ａや２０６Ａのように、スペクトルの隣接する部分を占有する）無線チャネルである。一方、他の実施形態において、選択された無線チャネルは、スペクトル内で隣接しない（すなわち、チャネル２０４Ｂや２０６Ｂのように、スペクトルの隣接しない部分を占有する）無線チャネルであってもよい。
【００２７】
図３は、いくつかの実施形態におけるＯＦＤＭ送信機の機能ブロック図である。マルチＭＣＳ  ＯＦＤＭ送信機３００は、無線通信装置１０２（図１）のマルチＭＣＳ  ＯＦＤＭ送信機としての利用に適合し得るが、他の構成にも適合し得る。マルチＭＣＳ  ＯＦＤＭ送信機３００は、無線通信装置１０２の物理レイヤ（ＰＨＹレイヤ）の一部であってもよい。無線通信装置１０２は、メディアアクセス制御（MAC;  media-access  control）レイヤ回路を含む、他のレイヤの回路と、図示しないＰＨＹレイヤの一部である受信回路とを含んでも良い。一般に、マルチＭＣＳ  ＯＦＤＭ送信機３００は、ＭＡＣレイヤデータ３０１を受信し、そのデータを処理して、１以上のアンテナによる伝送のために、ＯＦＤＭ信号３３５を生成することができる。
【００２８】
いくつかの実施形態において、マルチＭＣＳ  ＯＦＤＭ送信機３００は、２以上の無線チャネル202（図２）で送信するデータを、単一の符号化方式により符号化し、符号化されたデータストリーム３０９を生成する、エンコーダ３０８を有し得る。セグメントパーサ３１２は、各無線チャネル２０２（図２）に対して選択された変調レベルに基づいて、符号化されたデータストリーム３０９のビットを、無線チャネル２０２の各々のビットストリーム３１３へと分割することができる。独立した時間領域のマルチキャリア波３２５は、２以上の選択された無線チャネルの各々において、その無線チャネルの最大許容送信電力レベルを超えないように選択された電力レベルで、単一のアンテナを用いて同時に送信するための、離散逆フーリエ変換（IDFT;  inverse  discrete  Fourier  transform）回路２３４により生成される。
【００２９】
マルチＭＣＳ  ＯＦＤＭ送信機３００は、各無線チャネルを対象として分割されたデータ３１３を、選択された変調レベルに基づいて、コンステレーションシンボルにマップするよう構成される、コンステレーションマッパ３１６をさらに有し得る。ＩＤＦＴ回路２３４（図２）は、各無線チャネルに対し、コンステレーションがマップされたデータに関して、ＩＤＦＴを実行することができ、各無線チャネルに対する時間領域のマルチキャリア波３２５を生成する。各無線チャネルの時間領域のマルチキャリア波３２５は、単一のアンテナでの同時送信のために、結合素子（combining  element）３３３により、結合され得る。
【００３０】
いくつかの実施形態において、可変利得素子３３２が、より高い電力レベルと、より高い変調レベルのチャネルと関連付けられた、時間領域のマルチキャリア波３２５の送信電力レベルを調整し、所定の性能レベルを満たすために、含まれ得る。これは、以下でより詳細に説明する。
【００３１】
いくつかの実施形態において、マルチＭＣＳ  ＯＦＤＭ送信機３００は、複数のアンテナのうちの各アンテナと関連付けられたエンコーダ３０８を有してもよい。各エンコーダが１の符号化方式を用い得るため、エンコーダ３０８は、アンテナごとに異なる符号化方式で、送信用のデータを符号化するよう構成され得る。マルチＭＣＳ  ＯＦＤＭ送信機３００は、２以上の無線チャネルの各々において、ＯＦＤＭ信号３３５を含む、独立した時間領域のマルチキャリア波を、１のアンテナにより、同時に送信するよう構成され得る。これらの実施形態において、符号化方式は、同じアンテナにより送信される無線チャネルの各々に対して、同じであってもよい。しかしながら、そのチャネルの許容送信電力に応じて、同じアンテナにより送信される各チャネルに対して、異なる変調レベルが用いられても良い。
【００３２】
図３に示されるように、異なるコンステレーションマッパ３１６が、分割されたストリーム３１３の各々に対して、利用され得る。しかしながら、同一のエンコーダ３０８からのストリームは、１のアンテナによる送信のために、結合素子３３３により、最終的に結合される。このように、各アンテナは、単一の符号化方式と関連付けられ得るが、そのアンテナにより送信される複数の無線チャネルの変調レベルは、異なることが許される。
【００３３】
いくつかの実施形態において、より高い変調レベルが、より高い許容送信電力レベルを有する無線チャネル２０２（すなわち、チャネル２０６（図２））に対して選択され、より低い変調レベルが、より低い許容送信電力レベルを有する無線チャネル２０２（すなわち、チャネル２０４（図２））に対して選択される。いくつかの実施形態において、無線チャネル２０２の許容送信電力は、無線通信装置１０２が配置される管轄の規則に基づいて決定され得る。
【００３４】
いくつかの実施形態において、無線通信装置１０２は、アクセスポイント１０４（又は基地局）（図１）から、利用可能な無線チャネルと、利用可能な無線チャネルの各々の最大許容送信電力レベルとを示す信号を受信するよう構成され得る。いくつかの実施形態において、その信号は、ビーコン信号であってもよい。
【００３５】
マルチＭＣＳ  ＯＦＤＭ送信機３００は、エンコーダ３０８の符号化率を選択し、コンステレーションマッパ３１６の変調レベルを選択し、さらに、セグメントパーサ３１２が、利用可能な無線チャネルの各々に対して選択された変調レベルに基づいて分割することができる、ビットの数を決定するよう構成される、コントローラ素子３５２又は他の処理回路を含んでもよい。コントローラ素子３５２は、本明細書で述べる他の制御機能を実行するよう構成されても良い。
【００３６】
いくつかの実施形態において、マルチＭＣＳ  ＯＦＤＭ送信機３００は、単一のアンテナに関連付けられた、１より多いＲＦチェーンコントローラを含んでも良い。図３は、各送信アンテナと関連付けられた、２つのＲＦチェーンを示しているが、これは必須ではない。各ＲＦチェーンは、データのストリームと関連付けられ得る。既に述べたように、可変利得素子３３２は、単一のアンテナと関連付けられた、少なくとも一つのＲＦチェーンと関連付けられ得る。そして、可変利得素子３３２は、所定の性能レベルをサポートし、かつ、無線チャネルの最大許容送信電力レベルを超えないように選択された電力レベルを有する、無線チャネルの時間領域のマルチキャリア波３２５を構成し得る。いくつかの実施形態において、より高い変調レベルを利用する無線チャネルは、可変利得素子３３２を有するＲＦチェーンであってもよい。このように、２つの無線チャネルで、同一のアンテナにより送信された信号は、管轄の規則の要件を満たしつつ、データスループットを最大化するように、異なる電力レベルを有することができる。これにより、より高い電力チャネルの電力レベルは、最大許容レベルより低いレベルに低減される一方、所定の性能レベルを満たすことができる。いくつかの実施形態において、所定の性能レベルは、ビットあたりの最小電力、最大フレーム誤り率（例えば、１％）、又は、変調及び符号化方式の目標誤り率であってもよい。
【００３７】
いくつかの実施形態において、マルチＭＣＳ  ＯＦＤＭ送信機３００は、サンプルクロック比クロック信号をダウンクロックすることにより、各ＲＦチャネルを、略１ＭＨｚか２ＭＨｚの何れかの送信帯域を有するよう、設定することができる。各無線チャネルで送信される、時間領域のマルチキャリア波は、複数のサブキャリア（トーン）を有する、ＯＦＤＭ信号であっても良い。選択されたＲＦチャネル２０２は、７００ＭＨｚと１０００ＭＨｚの間のスペクトル（すなわち、伝送周波数帯２１０）を占有しても良い。
【００３８】
可変利得素子３３２は、アナログ回路を含み、図３に示されるように、アナログ信号で動作してもよい。他の実施形態において、可変利得素子３３２は、デジタルで利得を制御するよう構成されても良い。また、可変利得素子３３２は、コントローラ素子３５２の一部であっても良い。さらに、可変利得素子３３２は、アナログデジタルコンバータ（ADC;  analog-to-digital  converter）の前であり、ＩＤＦＴ素子３２４の後ろで提供されても良い。
【００３９】
いくつかの実施形態において、本明細書で述べたように、従来のＩＥＥＥ８０２．１１ａｃ送信機が、ＩＥＥＥ  ８０２．１１ａｈ通信規格に従い、マルチＭＣＳモードをサポートするよう、変更されてもよい。これらの実施形態において、物理レイヤデータユニット（PSDU;  physical  layer  data  unit）長の計算、並びに、ＭＡＣ及びＰＨＹパディングの計算が、送信時間の計算とともに、修正されても良い。いくつかの実施形態において、ＰＳＤＵ長は、以下の式に基づいて、計算され得る。
【００４０】
【数１】
0005813871.tif 000002
ここで、
【００４１】
【数２】
0005813871.tif 000003
は、２つの変調種別の平均である。各変調種別が使用されるチャネルの数は、以下の式で計算され得る。
【００４２】
【数３】
0005813871.tif 000004
ここで、ｋとｌは、第一の変調種別と第二の変調種別がそれぞれ用いられる、チャネルの番号である。上記の式において、ＮＦは、改善されたピーク対平均電力比（PAPR;  peak-to-average  power  ratio）に対してヌル化され得るトーンの数を表す、ナリングファクタ（nulling  factor）であっても良い。これらの実施形態において、ＮＦは、何れのトーンもヌル化されないことを表す、１であってもよい。この例において、２つの変調種別のみが、２つの異なる電力レベルを構成するよう考慮されるが、他の割り当てに対して拡張されても良い。
【００４３】
シンボルの数と、ＰＨＹ及びＭＡＣパディングとが計算されると、送信機３００内での処理は、ストリームパーサ３１０まで、従来のＩＥＥＥ８０２．１１ａｃの流れに従っても良い。ストリームパーサ３１０は、コンステレーションに基づき、単一の軸（実数又は虚数）の上に符号化されたビットの集合を解析することができる。
【００４４】
符号化とパンクチャリング（puncturing）の後に、ＦＥＣエンコーダ３０８の出力におけるデータビットストリームは、
【００４５】
【数４】
0005813871.tif 000005
ビットの
【００４６】
【数５】
0005813871.tif 000006
ブロックに、再配列され得る。この演算は、「ストリームパージング」と呼ばれることがある。
【００４７】
１の空間ストリーム内の、１のコンステレーション点において、単一の軸（実数又は虚数）に割り当てられるビットの数は、以下の式で表される。
【００４８】
【数６】
0005813871.tif 000007
ここで、
【００４９】
【数７】
0005813871.tif 000008
は、空間ストリームごとの、サブキャリアあたりの符号化ビット数であり、
【００５０】
【数８】
0005813871.tif 000009
は、空間ストリームごとの、シンボルあたりの符号化ビット数であり、
【００５１】
【数９】
0005813871.tif 000010
は、空間ストリームの数である。
【００５２】
すべてのストリームに対するこれらの和は、以下の式で表すことができる。
【００５３】
【数１０】
0005813871.tif 000011
この例において、かかる式は、異なる変調種別を用いるよう、変更され得る（但し、この例にでは、一度に２つの種別のみが許される）。
これは、以下のように表される。
【００５４】
【数１１】
0005813871.tif 000012
ここで、
【００５５】
【数１２】
0005813871.tif 000013
は、使用される各変調種別の、空間ストリームごとの、サブキャリアあたりの符号化ビット数を表す。
【００５６】
その結果、全てのストリームの和は、以下のようになる。
【００５７】
【数１３】
0005813871.tif 000014
ここで、
【００５８】
【数１４】
0005813871.tif 000015
は、変調種別（チャネル）ごとに割り当てられる、空間ストリームの数である。
【００５９】
これらのストリームは、セグメント（チャネル）に対して解析されるブロックに移され得る。この解析は、変調種別に基づいて行われる。従って、１の変調種別のみが、チャネルの各々へと送信されるだろう。
【００６０】
セグメントパーサ３１２の次に、インターリーバ３１４が、各変調種別に対して利用可能なビット数に基づいて、インターリーブ処理を実行することができる。各コンステレーションマッパ３１６は、選択された変調レベルに基づいて、ビットをマップするよう構成され得る。以上のように、各チャネルは、変調種別に基づいて、処理される。
【００６１】
いくつかの実施形態において、マルチＭＣＳ  ＯＦＤＭ送信機３００の素子は、従来のＩＥＥＥ８０２．１１送信と比較して、低減された送信帯域幅を超えて、あるいはその範囲内で、送信用のＯＦＤＭ送信シンボルを生成するために、ダウンクロックされ得る。これらの実施形態において、ＩＤＦＴ素子３２４及び後続のデジタルアナログ（Ｄ／Ａ）コンバータ素子は、ダウンクロックされたサンプルクロック比で動作することができる。ダウンクロックは、ＩＥＥＥ８０２．１１ｎ／ａｃ用に構成された、多くの従来の送信機と比べて、低減された送信帯域幅を提供するために、コントローラ素子３５２によって、設定され得る。
【００６２】
いくつかの実施形態において、送信機３００により送信される時間領域の信号は、サンプルクロック比クロック信号に基づく、伝送帯域を有することができる。ＩＤＦＴ素子３２４により実行されるＩＤＦＴは、サンプルクロック比クロック信号に基づいて実行され得る。時間領域の信号に関し、Ｄ／Ａコンバータ素子により実行される、デジタルアナログ変換もまた、サンプルクロック比クロック信号に基づくものであり、低減された伝送帯域を有する、ＯＦＤＭ送信シンボルを生成する。これらの実施形態において、サンプルクロック比クロック信号は、１０以上のファクタにより、送信信号帯域を低減するよう構成される、ダウンクロックされたサンプルクロック比であってもよい。いくつかの実施形態において、コントローラ素子３５２は、クロック回路を、そのサンプルクロック比にダウンクロックするよう設定し、ＩＤＦＴ素子３２４とＤ／Ａコンバータ素子により用いられる、ダウンクロックされたサンプルクロック比を有する、クロック信号を生成する。
【００６３】
１／１０にダウンクロックされたサンプルクロックの利用により、例えば、２０ＨＭｚの波が、２ＭＨｚの伝送帯域に適合することができる。これらの実施形態において、ダウンクロックは、送信機のクロックを低くする（この例では、１／１０）と同時に、各ＯＦＤＭシンボルのトーンの数に影響を与えることなく、ＯＦＤＭシンボル時間を増加させる。周波数領域において、より低い利用帯域が存在し、トーン間隔がより狭いためである。ここで用いられるトーンとは、サブキャリアのことを表し得る。
【００６４】
いくつかの実施形態において、従来のＷＬＡＮシステム（すなわち、ＩＥＥＥ８０２．１１ｎに従って構成される）のサンプルクロック比に対して、略１／１０又は１／２０にダウンクロックされた、サンプロクロック比が、ＩＤＦＴ素子３２４とＤ／Ａコンバータ素子に提供され得る。これにより、従来のＷＬＡＮシステムと比べて、顕著に低減された伝送帯域が使用され得る。
【００６５】
これらの例示的な実施形態において、サンプルクロック比が、１／２０又は１／１０にダウンクロックされた場合、ダウンサンプリングに応じ、５２のトーンを使用する、２０ＭＨｚのＩＥＥＥ  ８０２．１１ａｃの帯域幅は、５２の、より狭い間隔のトーンを使用する、１ＭＨｚ又は２ＭＨｚの帯域へと低減され得る。また、１０８のトーンを使用する、４０ＭＨｚのＩＥＥＥ  ８０２．１１ａｃの帯域幅の場合には、１０８の、さらに狭い間隔のトーンを使用する、２ＭＨｚ又は４ＭＨｚの帯域へと低減され得る。また、２３４のトーンを使用する、８０ＭＨｚのＩＥＥＥ  ８０２．１１ａｃの帯域幅の場合には、２３４の、さらに狭い間隔のトーンを使用する、４ＭＨｚ又は８ＭＨｚの帯域へと低減され得る。また、４６８のトーンを使用する、１６０ＭＨｚのＩＥＥＥ  ８０２．１１ａｃの帯域幅の場合には、４６８の、さらに狭い間隔のトーンを使用する、８ＭＨｚ又は１６ＭＨｚの帯域へと低減され得る。この場合、ＩＥＥＥ  ８０２．１１ｎ／ａｃ送信機は、顕著により狭い帯域において、顕著により低い電力により、低いデータレートのデータを送信するために用いられ得る。ダウンサンプリングされたクロック比の利用により、時間当たりのＯＦＤＭシンボル長が増加し得る。
【００６６】
いくつかの実施形態において、アナログ及び無線回路は、ＩＤＦＴ素子３２４からの時間領域の信号を、７００ＭＨｚと１．０ＧＨｚとの間の送信周波数へと、アップコンバートし、１以上の電力増幅器により、送信周波数において、信号を増幅するよう構成され得る。ＩＤＦＴ素子３２４により生成される送信用の時間領域の信号は、送信帯域幅にわたり、均等に間隔を有する、複数のトーン（すなわち、サブキャリア）を有する。
【００６７】
いくつかの実施形態において、マルチＭＣＳ  ＯＦＤＭ送信機３００は、周波数選択性送信のために設定されても良い。これらの実施形態において、１ＧＨｚ以下の送信周波数が選択され得る。いくつかの代替の実施形態において、アクティブなトーンは、伝送帯域にわたり均等な間隔を有する代わりに、チャネルの状態に基づいて選択されても良い。これらの実施形態において、ＡＰ１０４（図１）は、チャネル推定を実行し、どのトーンがアクティブなトーンとして使用されるべきかを、送信機３００に示すことができる。他の実施形態において、送信機３００は、チャネル推定を実行し、どのトーンをアクティブなトーンとして選択するか決定することができる。
【００６８】
サンプルクロック比が１／１０にダウンクロックされる、いくつかの実施形態において、送信帯域は、それぞれ、５２、１０８、２３４、又は４６８のトーンの組を使用する、２ＭＨｚ、４ＭＨｚ、８ＭＨｚ、又は１６ＭＨｚの帯域を含んでもよい。サンプルクロック比が１／２０にダウンクロックされる、いくつかの実施形態において、送信帯域は、それぞれ、５２、１０８、２３４、又は４６８のトーンの組を使用する、１ＭＨｚ、２ＭＨｚ、４ＭＨｚ、又は８ＭＨｚの帯域を含んでもよい。いくつかの実施形態において、送信帯域は、サンプルクロック比のダウンクロックによって、１ＭＨｚ以下の小ささであってもよいし、１０ＭＨｚ以上の大きさであってもよい。
【００６９】
マルチＭＣＳ  ＯＦＤＭ送信機３００は、いくつかの独立した機能素子を有するように説明されるが、１以上の機能素子が統合されても良い。マルチＭＣＳ  ＯＦＤＭ送信機３００は、ＤＳＰ（digital  signal  processor）を含む演算素子のような、ソフトウェアにより構成された素子の組み合わせ、及び／又は、他のハードウェア素子により、実装されても良い。例えば、いくつかの素子は、少なくとも本明細書で述べた機能を実行する、１以上の、マイクロプロセッサ、ＤＳＰ、ＡＳＩＣ（application  specific  integrated  circuits）、ＲＦＩＣ（radio-frequency  integrated  circuits）、及び、様々なハードウェア及び論理回路の組み合わせを含み得る。いくつかの実施形態において、マルチＭＣＳ  ＯＦＤＭ送信機３００の機能素子は、１以上の演算素子上で動作する、１以上の処理を表し得る。
【００７０】
いくつかの実施形態は、１のハードウェア、ファームウェア及びソフトウェア、又は、それらの組み合わせにより、実現される。いくつかの実施形態は、また、本明細書で述べた演算を実行するために、少なくとも一つのプロセッサにより読み込まれて実行される、コンピュータ読み取り可能な記録装置に格納された命令として、実装され得る。コンピュータ読み取り可能な記録装置は、機械（例えば、コンピュータ）によって読み取り可能な形式で、情報を格納する、任意の持続性方式を含み得る。例えば、コンピュータ読み取り可能な記録装置は、ＲＯＭ（read-only  memory）、ＲＡＭ（random-access  memory）、磁気ディスク記録媒体、光学記録媒体、フラッシュメモリ装置、並びに、他の記録装置及び記録媒体を含んでもよい。いくつかの実施形態において、１以上のプロセッサは、コンピュータ読み取り可能な記録装置に格納された命令を実行するように構成され得る。
【００７１】
図４は、いくつかの実施形態における、ＭＳＣレベルの組４００を示す。各ＭＣＳレベルは、列４０５のＭＣＳインデックスと関連付けられ得る。ＭＣＳインデックスは、列４０７に示される変調レベルと、列４０９に示される符号化率により、定義され得る。図示されるように、ＭＣＳレベル４０１は、同一の符号化率１／２を有し、ＭＣＳレベル４０２は、同一の符号化率３／４を有し、ＭＣＳレベル４０３は、同一の符号化率５／６を有する。列４１１は、所定の品質レベルを達成するために必要な、ビットレベルあたりの電力の例を表す。列４１２は、列４１１のレベルの間での差を表す。
【００７２】
いくつかの実施形態において、マルチＭＣＳ  ＯＦＤＭ送信機３００（図３）は、チャネルの許容最大送信電力レベルに加え、そのチャネルのフィードバック（すなわち、ＳＮＲのような、チャネルの品質測定）に基づいて、各無線チャネル２０２（図２）の変調レベルを選択することができる。同一のアンテナにより送信される無線チャネルに対して選択された変調レベルは、同一の符号化率と関連付けられた、変調レベルの組に制限され得る。第一の無線チャネルが、より低い最大許容送信電力レベル（すなわち、チャネル２０４Ａ（図２））を有し、第二の無線チャネルが、より高い最大許容送信電力レベル（すなわち、チャネル２０６Ａ（図２））を有する場合、より高い最大許容伝送電力レベルと、より低い最大許容伝送電力レベルとの差２０９（図２）に基づいて、これらの無線チャネルに対する、変調レベルの組が選択される。これにより、列４１２に示される、所定の品質レベルをサポートするために必要となる、変調レベルの組の間での電力レベル差は、より高い最大許容送信電力レベルと、より低い最大許容送信電力レベルとの間の差２０９を超えない。
【００７３】
より高い最大許容送信電力レベルと、より低い最大許容送信電力レベルとの差２０９（図２）が、略１０ｄＢである実施形態の一例において、変調レベルの組は、所定の品質レベルをサポートするための、変調レベルの組の間の電力レベルの差が、１０ｄＢを超えない範囲で、選択され得る。図４において示される例において、符号化率が１／２のＢＰＳＫとＱＰＳＫの、変調レベルの組が選択される。これは、３ｄＢの差のみが、所定の品質レベルをサポートするために必要とされるためである。符号化率が１／２のＢＰＳＫと１６ＱＡＭの、変調レベルの組もまた、選択され得る。これは、送信電力レベルにおける８ｄＢの差のみが、所定の品質レベルをサポートするために必要とされるためである。符号化率が３／４の１６ＱＡＭと６４ＱＡＭの、変調レベルの組もまた、選択され得る。これは、送信電力レベルにおける５．５ｄＢの差のみが、所定の品質レベルをサポートするために必要とされるためである。
【００７４】
しかしながら、符号化率が３／４のＱＰＳＫと６４ＱＡＭの、変調レベルの組は、チャネルを最も効率的に利用するために、１１ｄＢの差を必要とする可能性がある。より高い変調レベルを有するチャネルが、より低い変調レベルを有するチャネルより、１ｄＢ又はそれより良いチャネル条件を得ているとき（例えば、フェーディングによりより損失が少ない）、符号化率が３／４のＱＰＳＫと６４ＱＡＭの、変調レベルの組の使用は、例えば、より高い最大許容送信電力レベルと、より低い最大許容送信電力レベルとの間の差２０９が、略１０ｄＢである状況において、適合し得る。
【００７５】
いくつかの実施形態において、より低い変調レベルと、より低い送信電力レベルとが、より高い電力チャネルに対して選択され、いくつかの状況において、電力消費を低減し（すなわち、送信すべきデータが多くない）、チャネル間の電力レベルの均衡を取りやすくする。さらに、より低い性能レベルが受け入れられるとき、より低い変調レベルと、より低い送信電力レベルとが、より高い電力チャネルに対して選択されても良い。
【００７６】
図４において示されるように、この組は、使用されるＭＣＳにおいて、いくつかの選択を可能とする。列４１２のいくつかの差は、チャネルの性能よる性能の差を有する、独立したチャネルの各々の、異なるチャネル条件に対して、システムを調整する十分な機会があることを示している。符号化率５／６が使用される場合の上端では、唯一の選択（すなわち、６４ＱＡＭと２５６ＱＡＭ）のみが存在する。このケースでは、より低い電力チャネルが、符号化率５／６で、６４ＱＡＭ伝送をサポートできる場合、より高い電力チャネルは、さらに５ｄＢの分割のみを必要とする。これは、チャネル間で許容できる差が、５ｄＢより大きい場合には、制限にはならないであろう。多くの管轄において、チャネル間の許容できる電力の差は、１０ｄＢのオーダーである。
【００７７】
図５Ａ、図５Ｂ、図５Ｃは、いくつかの実施形態における様々な管轄のチャネル帯を示す図である。図５Ａは、欧州連合（EU;  European  Union）において、８６３から８６８．６ＭＨｚ帯の２つの無線チャネルは、より低い最大許容送信電力レベルを有し、３つのチャネルは、より高い最大許容送信電力レベルを有する。図５Ｂは、韓国において、９１７から９２３．５ＭＨｚ帯の４つの無線チャネルは、より低い最大許容送信電力レベルを有し、２つのチャネルは、より高い最大許容送信電力レベルを有する。図５Ｃは、日本国において、９５０．８から９５７．６ＭＨｚ帯の３つの無線チャネルは、より低い最大許容送信電力レベルを有し、３つのチャネルは、より高い最大許容送信電力レベルを有する。いくつかの実施形態において、マルチＭＣＳ  ＯＦＤＭ送信機３００（図３）は、これらの管轄の何れにおける、マルチバンド伝送のために構成され、２以上の無線チャネルの各々において、その無線チャネルの最大許容送信電力レベルを超えないように選択された電力レベルで、独立した時間領域のマルチキャリア波を、同時に送信することができる。各無線チャネルの変調レベルは、その管轄において、少なくとも、その無線チャネルに対する最大許容送信電力レベルの一部に基づいて、選択され得る。最大許容送信電力及び受け入れ可能な性能レベルに応じて異なる変調レベルを用いることにより、利用可能な無線チャネルの、より良い利用が提供される。
【００７８】
図６は、いくつかの実施形態における様々な変調及び符号化方式（MCS;  modulation  and  coding  schemes）のパケット誤り率（PER;  packet-error-rate）を示す図である。図６に示されるように、より低いＭＣＳレベルと同じＰＥＲ性能を達成するために、より良いチャネル条件（例えば、より高い信号対雑音比（SNR;signal-to-noise  ratio））が、より高いＭＣＳレベルに対して、必要とされ得る。このように、同一の符号化率に対する変調レベルの組は、利用可能なチャネルの効率的な利用のために、それらの無線チャネルの最大許容送信電力レベルに応じて、選択され得る。
【００７９】
要約書は、技術的な開示の性質と趣旨を読者が確認できるようにするための要約書を要求している37C.F.R.§1.72(b)に準じて提供される。請求項の範囲または意味を制限または解釈するために使用されないという理解の下に提出される。以下の特許請求の範囲は、個別の実施例として独立している各請求項と共に、本発明の詳細な説明に組み入れられる。
【図１】
0005813871.tif 000016
【図２】
0005813871.tif 000017
【図３】
0005813871.tif 000018
【図４】
0005813871.tif 000019
【図５Ａ】
0005813871.tif 000020
【図５Ｂ】
0005813871.tif 000021
【図５Ｃ】
0005813871.tif 000022
【図６】
0005813871.tif 000023